(57)【要約】【課題】  画像処理回路を省略した駆動制御回路を備えるプロジェクタ及びかかるプロジェクタを組み込んだプロジェクタシステムを提供すること。【解決手段】  補正制御部６５は、プロジェクタ３０とコンピュータ５０とが接続されたことを検出した段階で、入出力制御部６４を介して接続情報や補正パラメータの読み出しの要求をプロジェクタ３０側に出力する。これに応じて、プロジェクタ３０側では、主制御回路１００がインターフェース部３４を適当なタイミングで適宜動作させて、メモリ３６内のディスプレイフォーマット等の接続情報や形状補正データ等の補正パラメータをコンピュータ５０側に出力する。コンピュータ５０側では、補正制御部６５がインターフェースユニット５３を介して接続情報や補正パラメータを取り込む。【選択図】  図１
2005156964.tif 000002
【特許請求の範囲】
【請求項１】
入力された画像信号に応じて画像を投射する投射手段と、
前記投射手段に入力される前記画像信号に施すべき画像処理に関する所定情報を記憶する記憶手段と、
前記記憶手段に記憶された前記所定情報を外部に出力するためのインターフェース部と
を備えるプロジェクタ。
【請求項２】
前記投射手段は、照明装置と、前記照明装置からの照明光によって照明される光変調装置と、当該光変調装置からの像光を投射する投射光学装置と、を備えることを特徴とする請求項１記載のプロジェクタ。
【請求項３】
前記所定情報は、前記投射手段に入力されるべき画像の補正に関する情報を含むことを特徴とする請求項１及び請求項２のいずれか一項記載のプロジェクタ。
【請求項４】
前記補正に関する情報は、前記投射手段に入力されるべき画像の空間的変形、色彩調整、コントラスト調整及び明るさ調整のうち少なくとも１つを含む補正情報であることを特徴とする請求項３記載のプロジェクタ。
【請求項５】
前記光変調装置を外部から入力された画像データに基づいて動作させる駆動回路をさらに備えることを特徴とする請求項１から請求項４のいずれか一項記載のプロジェクタ。
【請求項６】
前記インターフェース部は、外部から入力された前記画像データを前記駆動回路に転送することを特徴とする請求項５記載のプロジェクタ。
【請求項７】
前記インターフェース部に入力された前記画像データを前記駆動回路に転送する前に一時的に保存するバッファ回路をさらに備えることを特徴とする請求項６記載のプロジェクタ。
【請求項８】
請求項１から請求項７のいずれか一項記載のプロジェクタと、
前記インターフェース部に接続可能な入出力部と、当該入出力部を介して前記プロジェクタの前記記憶手段に記憶されている前記所定情報を読み出して保持する処理情報管理部と、投射すべき画像データに対し前記処理情報管理部に保持された前記所定情報に基づいて処理を施す補正処理部とを有するコンピュータと
を備えるプロジェクタシステム。
【請求項９】
前記補正処理部で処理を施した後の前記画像データは、前記入出力部及び前記インターフェース部を介して前記プロジェクタに出力されることを特徴とする請求項８記載のプロジェクタシステム。
【請求項１０】
オペレータが投射すべき画像データに施す処理の内容を前記処理情報管理部に設定するための情報入力部をさらに備えることを特徴とする請求項８及び請求項９のいずれか一項記載のプロジェクタシステム。
【請求項１１】
前記入出力部及び前記インターフェース部は、通信ネットワークを介して接続されることを特徴とする請求項８から請求項１０のいずれか一項記載のプロジェクタシステム。
【発明の詳細な説明】
【技術分野】
【０００１】
本発明は、画像を投射するプロジェクタ及びかかるプロジェクタを組み込んだプロジェクタシステムに関する。
【背景技術】
【０００２】
従来のプロジェクタとして、スクリーンに投射される投射画像の台形歪等を補正するための画像処理回路を内蔵するものが存在する（特許文献１等参照）。
【特許文献１】特開２００３−３１９２９３号公報
【発明の開示】
【発明が解決しようとする課題】
【０００３】
しかし、上記のようなプロジェクタでは、高性能の画像処理回路を内蔵するため駆動制御回路が全体として複雑なものとなり、結果的にコスト増加の原因となっている。
【０００４】
そこで、本発明は、画像処理回路を省略した駆動制御回路を備えるプロジェクタ及びかかるプロジェクタを組み込んだプロジェクタシステムを提供することを目的とする。
【課題を解決するための手段】
【０００５】
上記課題を解決するため、本発明に係るプロジェクタは、（ａ）入力された画像信号に応じて画像を投射する投射手段と、（ｂ）投射手段に入力される画像信号に施すべき画像処理に関する所定情報を記憶する記憶手段と、（ｃ）記憶手段に記憶された所定情報を外部に出力するためのインターフェース部とを備える。
【０００６】
上記プロジェクタでは、インターフェース部が記憶手段に記憶された所定情報を外部に出力するので、外部に別個設けたパソコン等において、かかる所定情報を引き出して活用することにより、投射手段に入力される画像信号に施すべき画像処理を行わせることができる。このように画像処理された画像信号を用いれば、プロジェクタに高価な画像処理ユニットを組み込むことなく、その投射手段に設けた光変調装置等に補正等が施された適正な所望の画像を形成ことができる。よって、プロジェクタを安価なものとしつつ、優れた画質の画像を簡易に投射することができる。
【０００７】
また、本発明の具体的な態様におけるプロジェクタでは、投射手段が、照明装置と、この照明装置からの照明光によって照明される光変調装置と、当該光変調装置からの像光を投射する投射光学装置とを備える。この場合、プロジェクタが投射型の装置であり、投射に際して台形歪、カラーバランスのズレ、色ムラ等の画像劣化が生じやすいが、かかる画像劣化を簡易に補償できる。
【０００８】
また、本発明の別の具体的な態様では、所定情報が、投射手段に入力されるべき画像の補正に関する情報を含む。この場合、プロジェクタの特性やプロジェクタが置かれた環境の影響を補正するような画像処理が可能になり、プロジェクタにパソコン等を接続して画像を投射する際の調整が迅速になる。
【０００９】
また、本発明の別の具体的な態様では、上述の補正に関する情報が、投射手段に入力されるべき画像の空間的変形、色彩調整、コントラスト調整及び明るさ調整のうち少なくとも１つを含む補正情報である。
【００１０】
また、本発明の別の具体的な態様では、光変調装置を外部から入力された画像データに基づいて動作させる駆動回路をさらに備える。この場合、外部から入力された画像データに予め画像処理が施されており、光変調装置を駆動回路によって適宜動作させることにより、補正等が施された適正な所望の画像を形成ことができる。
【００１１】
また、本発明の別の具体的な態様では、インターフェース部が、外部から入力された画像データを駆動回路に転送する。この場合、駆動回路の前段に特別な回路を設けることなく、画像データそのものに基づいて光変調装置を動作させることができる。
【００１２】
また、本発明の別の具体的な態様では、インターフェース部に入力された画像データを駆動回路に転送する前に一時的に保存するバッファ回路をさらに備える。この場合、外部からの画像データのデータ形式やデータ量にかかわらず適切なタイミングで光変調装置に所望の画像を形成ことができる。
【００１３】
本発明に係るプロジェクタシステムは、（ａ）上述のプロジェクタと、（ｂ）インターフェース部に接続可能な入出力部と、当該入出力部を介してプロジェクタの記憶手段に記憶されている所定情報を読み出して保持する処理情報管理部と、投射すべき画像データに対し処理情報管理部に保持された所定情報に基づいて処理を施す補正処理部とを有するコンピュータとを備える。
【００１４】
上記プロジェクタシステムでは、処理情報管理部がプロジェクタの記憶手段に記憶されている所定情報を読み出すとともに、補正処理部が投射すべき画像データに対し処理情報管理部に保持された所定情報に基づいて処理を施すので、プロジェクタ側に設定された所定情報を利用してコンピュータ側で画像処理を行うことができ、高速で多様な画像処理が可能になり、プロジェクタ側の回路を増やすことなく高品位で多様な画像を投射することができる。
【００１５】
また、本発明の具体的な態様におけるプロジェクタシステムでは、補正処理部で処理を施した後の画像データが、入出力部及びインターフェース部を介してプロジェクタに出力される。この場合、所定情報と画像データとを共通の経路を利用してやり取りすることができるので、プロジェクタとコンピュータとの接続を簡易化することができる。
【００１６】
また、本発明の別の具体的な態様では、オペレータが投射すべき画像データに施す処理の内容を処理情報管理部に設定するための情報入力部をさらに備える。この場合、プロジェクタが投射すべき画像データに施す処理の内容をオペレータが任意に設定或いは修正することができる。
【００１７】
また、本発明の別の具体的な態様では、入出力部及びインターフェース部は、通信ネットワークを介して接続される。この場合、通信ネットワーク上にある複数のコンピュータのユーザがプロジェクタを共有することができる。
【発明を実施するための最良の形態】
【００１８】
〔第１実施形態〕
以下、本発明の第１実施形態に係るプロジェクタシステムについて図面を参照しつつ具体的に説明する。
【００１９】
図１は、第１実施形態のプロジェクタシステムの構造を説明するブロック図である。このプロジェクタシステム１０は、スクリーン（不図示）に画像を投射するためのプロジェクタ３０と、このプロジェクタ３０に接続されて画像処理等を施すコンピュータ５０とを備える。
【００２０】
プロジェクタ３０は、投射手段の光学系として、白色の照明光を発生する照明装置３１と、照明装置３１からの照明光によって照明される光透過型の光変調装置である液晶ライトバルブ３２と、液晶ライトバルブ３２からの像光をスクリーン（不図示）に投射するための投射光学装置である投射レンズ３３とを備える。また、プロジェクタ３０は、回路系として、外部との間でデータを授受するインターフェース部３４と、インターフェース部３４を介して受け取った画像データに基づいて液晶ライトバルブ３２用の駆動信号を発生するドライバ回路３５と、画像処理に関する設定情報を記憶する記憶手段であるメモリ３６と、画像データをドライバ回路３５に転送する前に必要に応じて一時的に保存するバッファ回路３７とを備えており、さらに、照明装置３１用の光源駆動回路３８や、プロジェクタ３０の全体的動作を統括的に制御する主制御回路１００を有している。ここで、インターフェース部３４、メモリ３６、及びバッファ回路３７は一体のボード上に形成されたインターフェースユニット４０であり、ケース４２に着脱自在に嵌め込まれており、同様の機能を有するが規格が異なる他のインターフェースユニットと交換可能になっている。
【００２１】
上記プロジェクタ３０において、照明装置３１は、光源ランプ、凹面ミラー、集光レンズ等からなり、液晶ライトバルブ３２の全面を白色光で均一に照明する。液晶ライトバルブ３２は、各画素にＲＧＢのフィルタを配列したカラー型の液晶パネルからなり、液晶ライトバルブに入射した照明光は、液晶ライトバルブに入力された駆動信号に応じて画素単位で変調される。投射レンズ３３は、液晶ライトバルブ３２に形成されたカラー画像を適当な拡大率でスクリーンに投射するズームレンズであり、投射に際しての拡大率は、手動或いは電動制御によって適宜変更することができる。
【００２２】
インターフェース部３４は、プロジェクタ３０のケース４２外に露出するコネクタ４３に接続されている。このコネクタ４３は、特定種類のものに限らず、コンピュータ５０との間のデータ通信形式（高速シリアルインターフェース、パラレルデータインターフェース等）に応じて適当なものを複数準備することができる。インターフェース部３４は、画像データ、設定情報等の諸データを転送するためのものであり、コネクタ４３を介して入力された画像データに対して特別の画像処理を行うものではない。
【００２３】
ドライバ回路３５は、液晶ライトバルブ３２のための駆動回路であり、インターフェース部３４から受け取った画像データに基づいて液晶ライトバルブ３２の駆動に必要な画像信号すなわち駆動信号を形成する。このため、ドライバ回路３５は、例えば画像データから表示画素を選択するゲート信号と各画素の表示状態に対応するデータ信号とをそれぞれ形成するゲートドライバとデータドライバとを有する。
【００２４】
メモリ３６は、第１に、プロジェクタ３０に関する各種接続情報を保存する。この接続情報には、ａ）プロジェクタ３０の機種タイプ等に関する製品コードと、ｂ）解像度、リフレッシュレート等に関するディスプレイフォーマットと、データ通信における信号転送方式等とが含まれる。また、メモリ３６は、第２に、プロジェクタ３０に設定されている補正情報である補正パラメータを保存する。この補正パラメータには、例えば、ａ）台形補正、糸巻き歪補正、ズーム調整等の補正に関する形状補正データと、ｂ）エッジ強調、シャープネス等の補正に関する解像的補正データと、ｃ）色むら、ガンマ、色温度、スクリーン色のキャンセル等に関する色補正データと、ｄ）コントラスト補正用のデータと、ｅ）明るさ補正用のデータとが含まれる。
【００２５】
プロジェクタ３０にコンピュータ５０を接続した場合、ディスプレイフォーマット等の接続情報がメモリ３６から読み出されてインターフェース部３４を介してコンピュータ５０に読み込まれる。同様に、形状補正データ等の補正パラメータがメモリ３６から読み出されてインターフェース部３４を介してコンピュータ５０に読み込まれる。なお、前者の接続情報は原則として書き換え不能なデータであるが、後者の補正パラメータは例えばコンピュータ５０側から書き換え可能なデータである。また、後者の補正パラメータは、プロジェクタ３０側で独自に設定することもできる。つまり、プロジェクタ３０による投射像の台形補正や糸巻き歪補正等の補正パラメータをユーザがプロジェクタ３０に設けた操作キー等を利用してマニュアルで設定することができる。また、プロジェクタ３０に設けた設置角度やスクリーン色の自動計測装置、計測値に基づく台形補正や表示色等の補正量の自動演算装置、かかる補正量の自動設定装置等を利用して補正パラメータを自動的にメモリ３６に保管することもできる。
【００２６】
バッファ回路３７は、プロジェクタ３０とコンピュータ５０との間でデータ通信を行う際に画像データ等が一時的に蓄えられる。コンピュータ５０側から送り出される画像データの規格とプロジェクタ３０で利用される画像データの規格とが一致しない場合であって、しかもプロジェクタ３０側で信号処理が遅れる場合、このようなバッファ回路３７が必要になる。したがって、プロジェクタ３０側での信号処理が十分に速い場合、例えばインターフェース部３４で実質的な画像処理を全く行わない場合、バッファ回路３７は不要になる。
【００２７】
光源駆動回路３８は、照明装置３１に設けた光源ランプの点灯を制御するとともに光源ランプの加熱を防止しつつ適当な発光状態で動作させる。
【００２８】
主制御回路１００は、インターフェース部３４の動作を制御しており、コンピュータ５０側から接続情報や補正パラメータの読み出しの要求があった場合、メモリ３６からこれらの情報を読み取ってコンピュータ５０側に出力させる。また、主制御回路１００は、コンピュータ５０側から補正パラメータの修正の要求があった場合、コンピュータ５０側から修正情報を読み取ってメモリ３６に保存させる。
【００２９】
なお、インターフェース部３４に接続されたコネクタ４３は、インターフェース部３４で用いているデータ通信仕様に適合したものであり、例えばＵＳＢ、ＩＥＥＥ１３９４等に対応するシリアルコネクタ、ＤＶＩ等に対応するパラレルコネクタが採用される。
【００３０】
コンピュータ５０は、例えば一般的なパーソナルコンピュータで構成され、演算処理や制御を行う中央演算処理ユニット５１と、メモリや記録媒体を含む記憶ユニット５２と、外部との通信を行うための入出力部であるインターフェースユニット５３と、オペレータが情報を入出力等するための入出力装置５４とを備える。なお、インターフェースユニット５３は、プロジェクタ３０側に設けたインターフェース部３４との間で通信を可能にするため、コネクタ４３を備える。
【００３１】
近年のパーソナルコンピュータは、処理能力が著しく向上しており、コンピュータ５０側から画像データを送り出せるだけでなく、プロジェクタ３０の設置条件等に起因して必要となる台形補正等の各種画像処理を高速かつ精密にこなすことができる。つまり、従来のプロジェクタが有していた画像補正機能をコンピュータ５０側で受け持つことにより、投射画像の画質劣化を防止しつつプロジェクタ３０の内蔵回路を簡単で安価なものとすることができる。このため、コンピュータ５０には、プロジェクタ３０から補正パラメータ等を読み出して画像データに予め必要な画像処理を施すためのプログラムがインストールされている。
【００３２】
図２は、図１に示すコンピュータ５０の機能的構造を説明したブロック図である。コンピュータ５０は、画像データを発生する画像データ形成部６１と、画像データ形成部６１で形成された画像データをプロジェクタ３０での投射に適するディスプレイフォーマットに変換する画像出力部６３と、変換処理後の画像データに補正処理を施す補正処理部６２と、画像出力部６３から出力された画像データを適当な通信用フォーマットに変換して出力する入出力制御部６４と、補正処理部６２や入出力制御部６４の動作を制御する補正制御部６５と、補正処理部６２における補正処理の内容を設定する補正値入力部６６とを備える。
【００３３】
ここで、画像データ形成部６１は、図１の中央演算処理ユニット５１、記憶ユニット５２等に主に対応するものであり、各種アプリケーションプログラムの起動及び動作に付随して画像データを生成する。画像データ形成部６１で生成される画像データは、例えばＴＩＦＦ、ＪＰＥＧ、ＭＰＥＧ、ＢＭＰ等のフォーマットを有する。
【００３４】
画像出力部６３は、図１の中央演算処理ユニット５１、記憶ユニット５２等に主に対応するものであり、一般のコンピュータとしての出力画像を生成するとともに、プロジェクタ３０から読み出した接続情報に基づいて信号処理を行う。具体的には、まず、画像データ形成部６１から出力された画像データをアプリケーションソフトの動作状態に応じて並べたり重ね合わせたりした上で、ＲＧＢの画像データに変換する。次に、プロジェクタ３０に設定されたディスプレイフォーマットの情報に基づいて、プロジェクタ３０の規格に対応するスケーリングの処理を行って、上記ＲＧＢの画像データをプロジェクタ３０での表示に適合する画像データに変換する。なお、上述のディスプレイフォーマット等の接続情報は、入出力制御部６４及び補正制御部６５を介して予め画像出力部６３に取り込まれている。
【００３５】
補正処理部６２は、図１の中央演算処理ユニット５１、記憶ユニット５２等に主に対応するものであり、プロジェクタ３０から読み出した補正パラメータに基づいて画像処理を行う。補正パラメータは、後に詳細に説明するが補正制御部６５に保管されており、補正処理部６２では、補正制御部６５からの指令信号に基づいて補正パラメータに対応する処理を行う。具体的には、形状補正データ、解像的補正データ、色補正データ、コントラスト補正データ、明るさ補正データ等の各種補正パラメータに基づいて、台形補正、歪曲収差、ズーム等の形状的補正を行い、エッジ強調、シャープネス等の解像的補正を行い、さらに、色むら、ガンマ、色温度、スクリーン色のキャンセル等の広義の色補正を行う。
【００３６】
入出力制御部６４は、図１のインターフェースユニット５３に主に対応する入出力部であり、例えば高速シリアルインターフェースとして、補正処理部６２からの画像データをプロジェクタ３０との通信に適合する信号形式に変換する。
【００３７】
補正制御部６５は、図１の中央演算処理ユニット５１、記憶ユニット５２等に主に対応する処理情報管理部であり、プロジェクタ３０とコンピュータ５０とが接続されたことを検出した段階で、入出力制御部６４を介して接続情報や補正パラメータの読み出しの要求をプロジェクタ３０側に出力する。これに応じて、プロジェクタ３０側では、主制御回路１００がインターフェース部３４を適当なタイミングで適宜動作させて、メモリ３６内のディスプレイフォーマット等の接続情報や形状補正データ等の補正パラメータを読み出してコンピュータ５０側に出力する。コンピュータ５０側では、補正制御部６５がインターフェースユニット５３を介して接続情報や補正パラメータを取り込む。なお、メモリ３６内に補正パラメータがない場合、補正制御部６５は補正パラメータを受け取らないが、この場合、補正パラメータは未設定として処理され、補正の画像処理は行われない。
【００３８】
補正値入力部６６は、図１の入出力装置５４、中央演算処理ユニット５１等に主に対応する情報入力部であり、コンピュータ５０のオペレータの操作に応じて補正パラメータの設定を行う。このようにオペレータの操作に応じて設定された補正パラメータは、補正制御部６５及び入出力制御部６４を介してプロジェクタ３０側に出力される。これに応じて、プロジェクタ３０側では、主制御回路１００がインターフェース部３４を適当なタイミングで適宜動作させて、コンピュータ５０側から受け取った補正パラメータをメモリ３６内に保管する。つまり、補正処理部６２における補正処理の内容は、コンピュータ５０のオペレータの意思を反映して修正することができる。
【００３９】
以下、第１実施形態に係るプロジェクタシステム１０の動作について説明する。まず、プロジェクタ３０とコンピュータ５０との電源をＯＮ状態とするとともに、両者をコネクタ４３，４５を介して互いに接続すると、コンピュータ５０側からの要求に応じて、プロジェクタ３０側では、メモリ３６内の接続情報や補正パラメータをコンピュータ５０側に出力する。このような状態で、プロジェクタ３０とコンピュータ５０とのソフトウェア上の接続を完了させることができ、コンピュータ５０側で準備した適当な画像をプロジェクタ３０に表示させることができる。具体的な動作について説明すると、コンピュータ５０側では、画像出力部６３において、プロジェクタ３０から読み出したディスプレイフォーマット等の接続情報に基づいて、画像データ形成部６１から出力された画像データをプロジェクタ３０での表示に適合する画像データに変換する。さらに、補正制御部６５に制御された補正処理部６２において、プロジェクタ３０から読み出した補正パラメータに基づいて補正処理部６２からの画像データに対して台形補正等の画像処理を施す。このようにして得た画像データは、入出力制御部６４を介してプロジェクタ３０に出力される。プロジェクタ３０では、入力された画像データをインターフェース部３４を介することによってほぼそのまま或いはデータ形式を多少変更してドライバ回路３５に転送する。ドライバ回路３５は、インターフェース部３４から受け取った画像データに基づいて駆動信号を形成し、液晶ライトバルブ３２に適宜表示動作を行わせる。一方、照明装置３１からの照明光は、液晶ライトバルブ３２に入射してこの液晶ライトバルブ３２を均一に照明する。このように、液晶ライトバルブ３２を透過して変調された照明光すなわち像光は、投射レンズ３３に入射して、不図示のスクリーンに投影される。スクリーン上に投射された画像は、台形補正等の処理が施された高品位の画像となっている。
【００４０】
以上の説明は、プロジェクタ３０と特定のコンピュータ５０とを接続した場合の動作についてであったが、プロジェクタ３０と別のコンピュータとを接続する場合であっても、このような別のコンピュータに上述のコンピュータ５０と同様のプロジェクタ駆動用のアプリケーソフトが組み込まれていれば、上述のような画像データに対する補正処理を別のコンピュータ側でも行うことができる。つまり、適当なアプリケーソフトを組み込んだ２台以上のコンピュータによってプロジェクタ３０を共有することができ、あたかもプロジェクタ３０側で補正処理を行っているかのような利便性でプロジェクタ３０に投射動作を行わせることができる。
【００４１】
〔第２実施形態〕
以下、第２実施形態に係るプロジェクタシステムについて図面を参照しつつ具体的に説明する。なお、第２実施形態のプロジェクタシステムは、第１実施形態のプロジェクタシステムを通信ネットワークタイプに変更したものであり、共通する部分については同一の符号を付して重複説明を省略する。
【００４２】
図３は、第２実施形態のプロジェクタシステムの構造を説明するブロック図である。このプロジェクタシステム２１０は、プロジェクタ３０のほかに、このプロジェクタ３０に対してネットワークバス（通信ネットワーク）２７０を介して接続される複数のコンピュータ２５０Ａ，２５０Ｂ，２５０Ｃを備える。つまり、これらのコンピュータ２５０Ａ，２５０Ｂ，２５０Ｃによって単一のプロジェクタ３０を共有していることになる。これにより、コンピュータ２５０Ａによってプロジェクタ３０に設定した補正パラメータを他のコンピュータ２５０Ｂ，２５０Ｃでもそのまま活用することができるので、プロジェクタ３０を相互に共有する際の利便性が高まる。
【００４３】
各コンピュータ２５０Ａ，２５０Ｂ，２５０Ｃは、図１に示す第１実施形態のコンピュータ５０とそれぞれ同一の構造を有する。ただし、機器間の通信にネットワークバス２７０を用いていることから、各コンピュータ２５０Ａ，２５０Ｂ，２５０Ｃに設けたインターフェースユニット５３は、イーサネット（登録商標）等のネットワーク通信規格に対応したものとなっている。同様に、プロジェクタ３０のインターフェース部３４もイーサネット等のネットワーク通信規格に対応したものとなっている。さらに、これらのコンピュータ２５０Ａ，２５０Ｂ，２５０Ｃ間には、マスタ・スレーブの優位関係が設定されており、管理者が操作するマスタのコンピュータ２５０Ａの許可がなければ、他のコンピュータ２５０Ｂ，２５０Ｃからの制御によってプロジェクタ３０の動作を制御することができなくなっている。これにより、プロジェクタ３０のメモリ３６に保管された各種接続情報や補正パラメータが勝手に書き換えられることを防止でき、プロジェクタ３０の円滑な共有化が可能になる。
【００４４】
以上、実施形態に即して本発明を説明したが、本発明は上記実施形態に限定されるものではない。例えば上記実施形態では、プロジェクタ３０においてカラー型の液晶ライトバルブを白色光源で照明しているが、３つの液晶ライトバルブをＲＧＢの各色で照明して、各液晶ライトバルブの像をクロスダイクロイックプリズムで合成するタイプのプロジェクタに本発明を適用できることはいうまでもない。また、光変調装置は液晶ライトバルブのような透過型に限らず、反射型のものでもよい。そして、プロジェクタ３０からの像光を投射する対象は、背面投射型のスクリーンとすることもできるが、正面から画像を投射するフロント投射タイプのスクリーンとすることもできる。
【００４５】
また、プロジェクタ３０によって投射される画像は、コンピュータ５０内部で準備されたプレゼンテーション画像のような独自のものに限らず、外部から取得した画像ファイルとすることもでき、例えば店舗や駅構内でコマーシャル等を流す場合にも、図１等に示すプロジェクタシステム１０を活用することができる。この場合、インターネット等を利用したサーバ／クライアント方式にすることで、低コストでありながら多様な動画を表示することができるシステムを構築することができる。
【００４６】
また、上記実施形態において、コンピュータ５０において行う画像処理は、投射レンズ３３の収差を補正するものとすることもできる。この場合、投射レンズ３３を比較的安価なものとすることができる。
【００４７】
また、上記実施形態において、コンピュータ５０にビデオキャプチャボードを組み込めば、アナログのビデオ信号等をプロジェクタ３０に投射させることができるとともに、コンピュータ５０側で画像データを補正して高品位の画像を投射することができる。
【図面の簡単な説明】
【００４８】
【図１】第１実施形態のプロジェクタシステムの構造を説明するブロック図である。
【図２】コンピュータの構造を機能的に説明したブロック図である。
【図３】第１実施形態のプロジェクタシステムの構造を説明するブロック図である。
【符号の説明】
【００４９】
１０…プロジェクタシステム、  ３０…プロジェクタ、  ３１…照明装置、  ３２…液晶ライトバルブ、  ３３…投射レンズ、  ３４…インターフェース部、  ３５…ドライバ回路、  ３６…メモリ、  ３７…バッファ回路、  ４３…コネクタ、  ５０…コンピュータ、  ５１…中央演算処理ユニット、  ５２…記憶ユニット、  ５３…インターフェースユニット、  ５４…入出力装置、  ６１…画像データ形成部、  ６２…補正処理部、  ６３…画像出力部、  ６４…入出力制御部、  ６５…補正制御部、  ６６…補正値入力部、  １００…主制御回路
【図１】
2005156964.tif 000003
【図２】
2005156964.tif 000004
【図３】
2005156964.tif 000005